(57)【要約】  オークション終了時刻を決めようとしている出品者にその終了時刻を決めるための有用な情報を提供することを目的とする。このために、サーバ１１はアクセス数算出部７６、オークション検出部７７及び推定部７５を備えている。アクセス数算出部７６は、行動時間情報に基づいて他の商品についての過去のオークションに対する所定時間毎のアクセス数を求める。オークション検出部７７は、オークション情報に基づいて他の商品の開催中のオークションの数及びその終了日時を検出する。推定部７５は、過去のオークションに対する所定時間毎のアクセス数と開催中オークションの数及び終了日時とに基づきオークション開催期間を特定し、そのオークション開催期間を示すデータを出品者のユーザ端末１３に提供する。
2012131993.tif 000002
【特許請求の範囲】
【請求項１】
出品者がオークションに出品しようとする商品のカテゴリに属する他の商品のオークションが終了する日時を示す終了日時情報と、前記他の商品の過去のオークションに参加者がアクセスした日時を示す行動日時情報とを記憶する記憶手段を参照し、前記過去のオークションに対応する前記行動日時情報に基づいて該過去のオークションに対する所定時間毎のアクセス数を求めるアクセス数算出手段と、
前記記憶手段内の前記終了日時情報に基づいて前記他の商品の開催中オークションの数及び終了日時を検出するオークション検出手段と、
前記アクセス数算出手段により算出されたアクセス数と前記オークション検出手段により検出された開催中オークションの数及び終了日時とに基づき前記出品者のオークション開催期間を特定するオークション開催期間特定手段と、
前記出品者の端末に、前記オークション開催期間特定手段により特定された前記オークション開催期間を提供する提供手段と
を備える情報提供装置。
【請求項２】
前記オークション開催期間特定手段が、所定の時間における前記アクセス数と、該所定の時間に終了する前記開催中オークションの数との比に基づき前記オークション開催期間を特定する、
請求項１に記載の情報提供装置。
【請求項３】
前記オークション開催期間特定手段が、前記所定の時間における前記アクセス数に対する、該所定の時間に終了する前記開催中オークションの数の比が小さい時間をオークション開催期間として特定する、
請求項２に記載の情報提供装置。
【請求項４】
前記行動日時情報が、参加者の評価を示すユーザ評価情報を更に含み、
前記提供手段が、前記オークション開催期間が複数存在する場合に、前記過去のオークションにアクセスした前記参加者のユーザ評価情報を参照し、該参加者の評価に基づいて該複数のオークション開催期間に優先順位を付与する、
請求項１〜３のいずれか一項に記載の情報提供装置。
【請求項５】
情報提供装置により実行される情報提供方法であって、
出品者がオークションに出品しようとする商品のカテゴリに属する他の商品のオークションが終了する日時を示す終了日時情報と、前記他の商品の過去のオークションに参加者がアクセスした日時を示す行動日時情報とを記憶する記憶手段を参照し、前記過去のオークションに対応する前記行動日時情報に基づいて該過去のオークションに対する所定時間毎のアクセス数を求めるアクセス数算出ステップと、
前記記憶手段内の前記終了日時情報に基づいて前記他の商品の開催中オークションの数及び終了日時を検出するオークション検出ステップと、
前記アクセス数算出手段により算出されたアクセス数と前記オークション検出手段により検出された開催中オークションの数及び終了日時とに基づき前記出品者のオークション開催期間を特定するオークション開催期間特定ステップと、
前記出品者の端末に、前記オークション開催期間特定手段により特定された前記オークション開催期間を提供する提供ステップと
を含む情報提供方法。
【請求項６】
コンピュータを、
出品者がオークションに出品しようとする商品のカテゴリに属する他の商品のオークションが終了する日時を示す終了日時情報と、前記他の商品の過去のオークションに参加者がアクセスした日時を示す行動日時情報とを記憶する記憶手段を参照し、前記過去のオークションに対応する前記行動日時情報に基づいて該過去のオークションに対する所定時間毎のアクセス数を求めるアクセス数算出手段と、
前記記憶手段内の前記終了日時情報に基づいて前記他の商品の開催中オークションの数及び終了日時を検出するオークション検出手段と、
前記アクセス数算出手段により算出されたアクセス数と前記オークション検出手段により検出された開催中オークションの数及び終了日時とに基づき前記出品者のオークション開催期間を特定するオークション開催期間特定手段と、
前記出品者の端末に、前記オークション開催期間特定手段により特定された前記オークション開催期間を提供する提供手段と
して機能させる情報提供プログラム。
【請求項７】
コンピュータを、
出品者がオークションに出品しようとする商品のカテゴリに属する他の商品のオークションが終了する日時を示す終了日時情報と、前記他の商品の過去のオークションに参加者がアクセスした日時を示す行動日時情報とを記憶する記憶手段を参照し、前記過去のオークションに対応する前記行動日時情報に基づいて該過去のオークションに対する所定時間毎のアクセス数を求めるアクセス数算出手段と、
前記記憶手段内の前記終了日時情報に基づいて前記他の商品の開催中オークションの数及び終了日時を検出するオークション検出手段と、
前記アクセス数算出手段により算出されたアクセス数と前記オークション検出手段により検出された開催中オークションの数及び終了日時とに基づき前記出品者のオークション開催期間を特定するオークション開催期間特定手段と、
前記出品者の端末に、前記オークション開催期間特定手段により特定された前記オークション開催期間を提供する提供手段と
して機能させる情報提供プログラムを記録したコンピュータ読取可能な記録媒体。
【発明の詳細な説明】
【技術分野】
【０００１】
本発明は、情報提供装置、情報提供方法、情報提供プログラム、及びそのプログラムを記録したコンピュータ読取可能な記録媒体に関する。
【背景技術】
【０００２】
近年、インターネットを介したオークションのサービスの提供が広く行われている。オークションとは、買い手に購入条件を競わせることである。インターネットを介したオークションでは、オークションのサービスを提供する提供業者が、商品を競るためのウェブページを用意する。そして、出品者が当該ウェブページに対して商品の出品を申し込むと、買い手である入札者（入札希望者）が購入価格を提示する。そして、終了日時までに最も高い購入価格を提示した入札者が商品を落札することができる。【０００３】
オークションに商品を出品する際に、入札者がオークションで活動する可能性の高い日時を終了日時として出品者が指定することが多い。具体的には、出品者がオークションの終了日を週末に設定したり、終了時刻を２２：００〜２４：００頃の範囲に設定することが多い。このような時間には余暇を過ごしている人々が多く、一般的にオークションの入札数が増加し、商品の価格が上昇する可能性が高いからである。【０００４】
従来から、終了時刻の決定に関する手法が考えられている。例えば、下記特許文献１には、品名毎の入札の統計情報を含む情報を記憶し、出品者の装置からネットワークを介して出品要求を取得すると、記憶された品名毎の入札の統計情報に基づいてネットオークションの入札終了の時刻を決定するネットオークションサーバが記載されている。
【先行技術文献】
【特許文献】
【０００５】
【特許文献１】特開２００５−１９６４１８号公報
【発明の概要】
【発明が解決しようとする課題】
【０００６】
しかし、上記特許文献１に記載のサーバでは、品物毎の入札の統計情報に基づいて終了時刻が決まるので、非常に多くの種類の商品を扱う現実のオークション・サービスにおいて,全商品について終了時刻を精度良く得ることは難しい。【０００７】
本発明は、このような状況に鑑みてなされたものであり、オークション終了時刻を決めようとしている出品者にその終了時刻を決めるための有用な情報を提供することを目的とする。
【課題を解決するための手段】
【０００８】
本発明に係る情報提供装置は、出品者がオークションに出品しようとする商品のカテゴリに属する他の商品のオークションが終了する日時を示す終了日時情報と、他の商品の過去のオークションに参加者がアクセスした日時を示す行動日時情報とを記憶する記憶手段を参照し、過去のオークションに対応する行動日時情報に基づいて該過去のオークションに対する所定時間毎のアクセス数を求めるアクセス数算出手段と、記憶手段内の終了日時情報に基づいて他の商品の開催中オークションの数及び終了日時を検出するオークション検出手段と、アクセス数算出手段により算出されたアクセス数とオークション検出手段により検出された開催中オークションの数及び終了日時とに基づき出品者のオークション開催期間を特定するオークション開催期間特定手段と、出品者の端末に、オークション開催期間特定手段により特定されたオークション開催期間を提供する提供手段とを備える。【０００９】
本発明に係る情報提供方法は、情報提供装置により実行される情報提供方法であって、出品者がオークションに出品しようとする商品のカテゴリに属する他の商品のオークションが終了する日時を示す終了日時情報と、他の商品の過去のオークションに参加者がアクセスした日時を示す行動日時情報とを記憶する記憶手段を参照し、過去のオークションに対応する行動日時情報に基づいて該過去のオークションに対する所定時間毎のアクセス数を求めるアクセス数算出ステップと、記憶手段内の終了日時情報に基づいて他の商品の開催中オークションの数及び終了日時を検出するオークション検出ステップと、アクセス数算出手段により算出されたアクセス数とオークション検出手段により検出された開催中オークションの数及び終了日時とに基づき出品者のオークション開催期間を特定するオークション開催期間特定ステップと、出品者の端末に、オークション開催期間特定手段により特定されたオークション開催期間を提供する提供ステップとを含む。【００１０】
本発明に係る情報提供プログラムは、コンピュータを、出品者がオークションに出品しようとする商品のカテゴリに属する他の商品のオークションが終了する日時を示す終了日時情報と、他の商品の過去のオークションに参加者がアクセスした日時を示す行動日時情報とを記憶する記憶手段を参照し、過去のオークションに対応する行動日時情報に基づいて該過去のオークションに対する所定時間毎のアクセス数を求めるアクセス数算出手段と、記憶手段内の終了日時情報に基づいて他の商品の開催中オークションの数及び終了日時を検出するオークション検出手段と、アクセス数算出手段により算出されたアクセス数とオークション検出手段により検出された開催中オークションの数及び終了日時とに基づき出品者のオークション開催期間を特定するオークション開催期間特定手段と、出品者の端末に、オークション開催期間特定手段により特定されたオークション開催期間を提供する提供手段として機能させる。【００１１】
本発明に係るコンピュータ読取可能な記録媒体は、コンピュータを、出品者がオークションに出品しようとする商品のカテゴリに属する他の商品のオークションが終了する日時を示す終了日時情報と、他の商品の過去のオークションに参加者がアクセスした日時を示す行動日時情報とを記憶する記憶手段を参照し、過去のオークションに対応する行動日時情報に基づいて該過去のオークションに対する所定時間毎のアクセス数を求めるアクセス数算出手段と、記憶手段内の終了日時情報に基づいて他の商品の開催中オークションの数及び終了日時を検出するオークション検出手段と、アクセス数算出手段により算出されたアクセス数とオークション検出手段により検出された開催中オークションの数及び終了日時とに基づき出品者のオークション開催期間を特定するオークション開催期間特定手段と、出品者の端末に、オークション開催期間特定手段により特定されたオークション開催期間を提供する提供手段として機能させる情報提供プログラムを記録する。【００１２】
このような発明によれば、出品者が出品する商品（以下では「出品商品」ともいう）のカテゴリに属する他の商品のオークション（以下では単に「他のオークション」ともいう）に関する情報に基づいてオークション開催期間が特定される。具体的には、過去の他のオークションに対するアクセス数と、開催中の他のオークションの数及び終了日時とに基づいてオークション開催期間が特定される。このオークション開催期間を出品者に提供することで、出品者はそのオークション開催期間を考慮して終了日時を決めることができる。すなわち、オークション終了時刻を決めようとしている出品者にその終了時刻を決めるための有用な情報を提供することができる。【００１３】
本発明に係る情報提供装置では、オークション開催期間特定手段が、所定の時間におけるアクセス数と、該所定の時間に終了する開催中オークションの数との比に基づきオークション開催期間を特定してもよい。【００１４】
この場合には、所定の時間における過去の他のオークションに対するアクセス数と、該時間に終了する開催中オークションの数との比に基づいてオークション開催期間が特定される。このような比を用いて特定されたオークション開催期間を出品者に提供することで、出品者はそのオークション開催期間を考慮して終了日時を決めることができる。すなわち、オークション終了時刻を決めようとしている出品者にその終了時刻を決めるための有用な情報を提供することができる。【００１５】
本発明に係る情報提供装置では、オークション開催期間特定手段が、所定の時間におけるアクセス数に対する、該所定の時間に終了する開催中オークションの数の比が小さい時間をオークション開催期間として特定してもよい。【００１６】
この場合、出品商品のオークションに対して多くのアクセスが見込まれ、且つ他のオークションと終了時刻があまり重ならないような時間がオークション開催期間として特定される。このオークション開催期間を出品者に提供することで、出品者はそのオークション開催期間を考慮して終了日時を決めることができる。すなわち、オークション終了時刻を決めようとしている出品者にその終了時刻を決めるための有用な情報を提供することができる。【００１７】
本発明に係る情報提供装置では、行動日時情報が、参加者の評価を示すユーザ評価情報を更に含み、提供手段が、オークション開催期間が複数存在する場合に、過去のオークションにアクセスした参加者のユーザ評価情報を参照し、該参加者の評価に基づいて該複数のオークション開催期間に優先順位を付与してもよい。【００１８】
この場合、評価の高い参加者がオークションに参加する時間が優先的に予測時間として提供され、出品者はそのオークション開催期間を考慮して終了日時を決めることができる。すなわち、オークション終了時刻を決めようとしている出品者にその終了時刻を決めるための有用な情報を提供することができる。
【発明の効果】
【００１９】
本発明によれば、オークション終了時刻を決めようとしている出品者にその終了時刻を決めるための有用な情報を提供できる。
【図面の簡単な説明】
【００２０】
【図１】第１実施形態に係る情報提供システムの構成を示す図である。
【図２】第１実施形態に係るサーバのハードウェア構成を示すブロック図である。
【図３】第１実施形態に係るサーバの機能構成を示すブロック図である。
【図４】オークション情報の例を示す図である。
【図５】予測時間の推定例を示す図である。
【図６】第１実施形態における予測時間推定処理を示すシーケンス図である。
【図７】第２実施形態に係るサーバの機能構成を示すブロック図である。
【図８】行動時間情報の例を示す図である。
【図９】評価値を更新する処理を示すフローチャートである。
【図１０】評価値と評価ステージとの対応を示す図である。
【図１１】（ａ），（ｂ）はそれぞれ、予測時間の推定例を示す図である。
【図１２】第２実施形態における予測時間推定処理を示すシーケンス図である。
【図１３】第３実施形態に係るサーバの機能構成を示すブロック図である。
【図１４】行動集計情報を記憶する処理を示すフローチャートである。
【図１５】行動集計情報の例を示す図である。
【図１６】行動集計情報の例を示す図である。
【図１７】（ａ）〜（ｃ）はそれぞれ、予測時間の推定例を示す図である。
【図１８】第３実施形態における予測時間推定処理を示すシーケンス図である。
【図１９】行動集計情報の別の例を示す図である。
【図２０】第４実施形態に係るサーバの機能構成を示すブロック図である。
【図２１】第４実施形態における予測時間推定処理を示すシーケンス図である。
【図２２】第５実施形態に係る情報提供システムの構成を示す図である。
【図２３】（ａ），（ｂ）は、オークションへのアクセス数の算出の例を示す図である。
【図２４】（ａ），（ｂ）は、終了オークション数を所定の時間毎に検出する例を示す図である。
【図２５】第５実施形態における予測時間推定処理を示すシーケンス図である。
【発明を実施するための形態】
【００２１】
以下、添付図面を参照しながら本発明の実施形態を詳細に説明する。本実施形態では、本発明に係る情報提供装置をサーバに適用する。なお、図面の説明において同一又は同等の要素には同一の符号を付し、重複する説明を省略する。
（第１実施形態）
【００２２】
まず、第１実施形態に係る情報提供システムについて説明する。情報提供システムはオークション・サービスをユーザに提供するコンピュータシステムであり、図１に示すようにサーバ１１、インターネット１２、および１以上のユーザ端末１３を備えている。サーバ１１と各ユーザ端末１３とはインターネット１２を介して互いに通信可能である。
【００２３】
サーバ１１は、専用サーバ、パーソナルコンピュータ、または仮想サーバなどからなる情報提供装置である。サーバ１１は、専用サーバ、パーソナルコンピュータ、または仮想サーバなどの組み合わせからなるシステムであっても良い。サーバ１１は、オークションのためのウェブページをユーザ端末１３に提供することで、ユーザ端末１３のユーザにオークション・サービスを提供する。また、サーバ１１は、所定の閾値以上のオークションが終了すると予測される時間以外の時間を予測時間（オークション開催期間）として推定し、この予測時間を示すデータを各ユーザ端末１３に提供する。
【００２４】
インターネット１２は、ネットワークの一例であり、有線または無線の汎用回線または専用回線や、有線または無線の複数のネットワーク（例えばＬＡＮ（Local Area Network）やＷＡＮ（WＩＤe Area Network）など）からなる。
【００２５】
ユーザ端末１３は、ユーザの操作に応じてサーバ１１からオークションのためのウェブページを取得して表示することで、そのウェブページをユーザ端末１３のユーザに提示する。これにより、ユーザは、そのウェブページを操作してオークションへの商品の出品や入札を行うことができる。ユーザ端末１３の例としては、携帯型又は据置型のパーソナルコンピュータや各種の携帯端末などが挙げられるが、端末の種類は何ら限定されない。
【００２６】
次に、サーバ１１について詳細に説明する。図２は、サーバ１１のハードウェアの構成例を示すブロック図である。サーバ１１において、ＣＰＵ（Central Processing Unit）３１，ＲＯＭ（Read Only Memory）３２，ＲＡＭ（Random Access Memory）３３は、バス３４により相互に接続されている。バス３４には、さらに、入出力インタフェース３５が接続されている。入出力インタフェース３５には、キーボード、マウス、マイクロホンなどよりなる入力部３６、ディスプレイ、スピーカなどよりなる出力部３７、ハードディスクや不揮発性のメモリなどよりなる記憶部３８、ネットワークインタフェースなどよりなる通信部３９、磁気ディスク、光ディスク、光磁気ディスク、或いは半導体メモリなどのリムーバブルメディア４１を駆動するドライブ４０が接続されている。
【００２７】
以上のように構成されるサーバ１１（コンピュータ）では、ＣＰＵ３１が、例えば、記憶部３８に記憶されている情報提供プログラムを、入出力インタフェース３５及びバス３４を介して、ＲＡＭ３３にロードして実行することにより、後述する一連の処理が行われる。
【００２８】
情報提供プログラムは、磁気ディスク（フレキシブルディスクを含む）、光ディスク（ＣＤ−ＲＯＭ（Compact Disc-Read Only Memory）やＤＶＤ(Digital Versatile Disc)等）、光磁気ディスク、もしくは半導体メモリなどのリムーバブルメディア４１により提供されてもよい。また、情報提供プログラムは、ローカルエリアネットワークやインターネット１２、デジタル衛星放送といった、有線または無線の伝送媒体を介して提供されてもよい。
【００２９】
情報提供プログラムは、リムーバブルメディア４１をドライブ４０に装着し、入出力インタフェース３５を介して記憶部３８に記憶することで、コンピュータにインストールすることができる。また、情報提供プログラムは、有線または無線の伝送媒体を介して通信部３９で受信し、記憶部３８に記憶することで、コンピュータにインストールすることができる。さらに、情報提供プログラムは、ＲＯＭ３２や記憶部３８にあらかじめ記憶しておくことで、あらかじめインストールしておくこともできる。
【００３０】
なお、情報提供プログラムは、以下に説明する順序に沿って時系列にコンピュータに処理を行わせるプログラムであっても良いし、並列に、あるいは呼び出しが行われたとき等の必要なタイミングでコンピュータに処理を行わせるプログラムであってもよい。このような情報提供プログラムを実行することにより、以下に説明する第１〜５実施形態に示す情報提供装置が実現される。
【００３１】
図３は、サーバ１１の機能構成を示すブロック図である。サーバ１１は、Ｗｅｂサーバ機能５１、ページ生成部５２、サービス提供部５３、予測時間提供部５４、ユーザデータベース５５、およびオークション関連データベース（記憶手段）５６を備えている。
【００３２】
Ｗｅｂサーバ機能５１は、所定のＷｅｂサーバプログラムを実行することにより実現され、ＨＴＴＰ（Hypertext Transfer Protocol）に規定される手順に基づいて、テキストまたは画像などの各種のオブジェクトが含まれるウェブページを提供する。ウェブページはＨＴＭＬ（Hypertext Markup Language）またはＸＭＬ（Extensible Markup Language）で記述される。Ｗｅｂサーバ機能５１は、送信部７１および受信部７２を含む。送信部７１はウェブページをユーザ端末１３に送信する。受信部７２はユーザ端末１３から送信されてくる各種のデータを受信する。
【００３３】
ページ生成部５２は、ユーザ端末１３に提供するウェブページを生成してＷｅｂサーバ機能５１の送信部７１に出力する。このウェブページには、出品者に予測時間を提示するためのウェブページも含まれる。
【００３４】
サービス提供部５３は、オークション・サービスに対するログイン及びログアウトや、オークションにおける各種行動を示すイベントを受け付ける。このイベントは、オークションに参加するユーザを特定するユーザＩＤと、そのユーザの行動（ログイン、ログアウト、入札、落札、出品など）を示す情報とを示している。
【００３５】
予測時間提供部５４は、所定の閾値以上のオークションが終了すると予測される時間以外の時間を推定する。一般に、入札はオークションの終了間際に最も活発になるので、同時間帯に終了するオークションの数が多いことは、出品者にとって競争相手が多くなることを意味する。その結果、出品商品の価格の上昇がなかなか見込めないことになる。そこで、予測時間提供部５４は出品者の競争相手の数があまり多くない時間を推定する。
【００３６】
予測時間提供部５４は、ページ生成部５２およびＷｅｂサーバ機能５１を介して、予測時間を出品者のユーザ端末１３に提供することで、その予測時間を出品者に提示する。ここで、予測時間は、１日のうちの３０分、１時間、２時間などを単位とする時間帯であってもよいし、「日曜日の１２：００〜１３：００」などのような、曜日を更に考慮した時間帯であってもよい。どのような予測時間を提供するかは任意に定めてよい。
【００３７】
ユーザデータベース５５は、オークション・サービスを利用するユーザに関するデータ（ユーザデータ）を格納する。ユーザデータは、ユーザを特定するためのユーザＩＤと、該ユーザの氏名、住所、電話番号、電子メールアドレス、年齢、性別、およびログイン用パスワードなどの各種属性とが互いに関連付けられたデータである。
【００３８】
オークション関連データベース５６は、オークションに関する情報（オークション情報）を格納する。オークション情報は、オークションを特定するためのオークションＩＤと、出品者のユーザＩＤと、出品された商品を特定する商品ＩＤと、該商品の名前及びカテゴリと、オークションでの開始価格と、オークションの開始及び終了の日時（終了日時情報）と、該商品に対して入札したユーザ（入札者）を特定するユーザＩＤと、入札日時と、該商品の落札者を特定するユーザＩＤと、落札日時とを含んでいる。一つの商品に対して入札が複数回発生することもあるので、一つのオークション情報には複数の入札者のユーザＩＤ及び入札日時が含まれうる。商品のカテゴリとは商品の種類を意味し、例えば、家電やインテリア、生活雑貨、食品などがカテゴリに相当する。カテゴリは、「食品−スイーツ−洋菓子−チョコレート」などのように階層的に表現されていてもよい。
【００３９】
オークション情報は更に、オークションをウォッチリストに登録したユーザを特定するユーザＩＤ、及びオークションに対してリマインドメールの登録をしたユーザを特定するユーザＩＤも含みうる。オークションをウォッチリストに登録しているユーザとは、そのオークションに関心を持っている又は注目しているユーザであるといえる。
【００４０】
オークション情報に含まれる各種ユーザＩＤは、オークションの参加者を特定する参加者ＩＤであるともいえる。
【００４１】
図４に、オークション関連データベース５６に記憶されるオークション情報の一例を示す。図４に示す例では、参加者ＩＤとして出品者、入札者、及び落札者のユーザＩＤが格納されている。オークション情報は、新たに商品が出品されたときや、参加者によりオークションの商品が入札または落札されたときに更新される。
【００４２】
図３に戻って、予測時間提供部５４の詳細を説明する。予測時間提供部５４は、記録部７３、抽出部（推定手段）７４、および推定部（推定手段、提供手段）７５を含む。
【００４３】
記録部７３は、オークション関連データベース５６内のオークション情報を更新する。この記録部７３はオークション情報記録部７３ａを含んでいる。
【００４４】
オークション情報記録部７３ａは、サービス提供部５３により受け付けられたイベントを参照して、オークションに関する情報を記録する。イベントが商品の出品を示している場合には、オークション情報記録部７３ａは出品商品に関するオークションを特定する新たなオークション情報を生成し、このオークション情報をオークション関連データベース５６に登録する。イベントが商品の落札を示している場合には、オークション情報記録部７３ａは対応するオークションに関するオークション情報に落札者のユーザＩＤと落札日時とを登録する。イベントが商品の入札を示している場合には、オークション情報記録部７３ａは対応するオークションに関するオークション情報の入札履歴に入札者のユーザＩＤと入札日時とを含むレコードを追加する。
【００４５】
抽出部７４は、オークション関連データベース５６を参照して、出品商品のカテゴリに属する他の商品のオークションの終了時刻を抽出する。抽出部７４は、検索部７４ａ及び終了時刻抽出部７４ｂを含む。
【００４６】
検索部７４ａは、出品者のユーザ端末１３から送信された、出品商品のカテゴリを示すカテゴリ情報を取得する。続いて、検索部７４ａはそのカテゴリ情報で示されるカテゴリに属する他の商品が出品されたオークション（他のオークション）を示すオークション情報をオークション関連データベース５６から抽出する。この際に、検索部７４ａは、出品者により指定されたオークション終了日（時刻の指定は無し）と同じ日に終了するオークションであるという追加の条件も満たすオークション情報のみを抽出してもよい。
【００４７】
終了時刻抽出部７４ｂは、検索部７４ａにより抽出されたオークション情報から終了時刻を抽出し、終了時刻の集合を推定部７５に出力する。
【００４８】
推定部７５は、他のオークションと終了時刻があまり重ならないような時間を予測時間として推定し、その予測時間をユーザ端末１３に送信する。
【００４９】
推定部７５は、入力された終了時刻の集合に基づいて、出品商品のカテゴリに属する他の商品のオークションと終了時刻があまり重ならないような時間の候補（予測時間の候補。以下では「候補時間」ともいう）を推定する。具体的には、推定部７５は、入力された終了時刻を所定の時間毎に分けることで、当該時間内に終了するオークションの個数を算出する。例えば、推定部７５は１日の中での所定長の時間帯毎にオークションの個数を算出する。続いて、推定部７５は、所定の閾値以上のオークションが終了すると予測される時間（混雑時間）以外の時間を候補時間として推定する。
【００５０】
図５を用いてこの推定処理を具体的に説明する。図５における三角マークは、終了時刻抽出部７４ｂで抽出された終了時刻を示している。図５では、２０：００〜２１：００では二つのオークションで終了時刻が設定されており、２１：００〜２２：００では三つのオークションで終了時刻が設定されている。他の時間についても同様に考える。
【００５１】
推定部７５は、他のオークションの個数が所定の閾値以上である時間（混雑時間）を特定し、当該特定された時間以外の時間を予測時間の候補として設定する。図５の例においてその閾値が３であるとすると、推定部７５は２１：００〜２３：００を混雑時間として特定し、この時間以外の時間である「２０：００〜２１：００」（予測時間の候補Ａ）及び「２３：００〜１：００」（予測時間の候補Ｂ）を候補時間として設定する。この処理で用いる閾値は、所定の時間内に終了するオークションの絶対数で示してもよいし、所定の時間において入札を受け付けている全オークション数に対する終了オークション数の割合で示してもよい。また、推定部７５は、他のオークションの個数が所定の閾値以上である時間を特定し、当該特定された時間以外の時間であって特定された時間との差が所定値以内の時間を予測時間の候補として設定してもよい。
【００５２】
取得された候補時間が複数存在する場合には、推定部７５は特定された時間よりも後の候補時間のみを最終的な予測時間として選択してもよい。この予測時間は、他のオークションにおいて商品を落札できなかった参加者が出品商品のオークションに参加することが予想される時間だからである。図５の例では、推定部７５は「２３：００〜１：００」を予測時間とする。また、推定部７５は特定された時間よりも前の候補時間のみを最終的な予測時間として選択してもよい。この予測時間は、多くのオークションが終了する時刻に次いで多くの参加者がオークションに参加することが予想される時間だからである。図５の例では、推定部７５は「２０：００〜２１：００」を予測時間とする。また、推定部７５は時間内に終了するオークションの個数が最も少ない候補時間を予測時間として選択してもよい。図５の例では、推定部７５はこの場合も「２３：００〜１：００」を予測時間とする。推定部７５はこのように求めた予測時間をページ生成部５２に出力する。
【００５３】
推定部７５は、１以上の候補時間をそのまま１以上の予測時間として決定し、その予測時間をページ生成部５２に出力してもよい。候補時間が複数存在する場合には、推定部７５は以下のような方法で候補時間を並べ替えた上でページ生成部５２に出力してもよい。例えば、推定部７５は、特定した時間（一定数以上のオークションが終了する時間）よりも前に位置する候補時間が先頭に表示されるように候補時間を並べ替えてもよい。また、推定部７５は、時間内に終了するオークションの個数が少ない順に候補時間を並べ替えてもよい。このような処理により、特定された時間よりも前の予測時間、又は終了するオークションの個数が少ない予測時間ほど優先的に出品者に提示される。
【００５４】
次に、図６を用いて本実施形態における予測時間推定処理（情報提供方法）を説明する。まず、出品者のユーザ端末１３が、出品商品のカテゴリを示すカテゴリ情報を取得する（Ｓ１００１）。具体的には、ユーザ端末１３は、オークションへの出品を受け付けるウェブページにおいてプルダウンメニューから選択されたカテゴリ情報、または直接入力されたカテゴリ情報を取得する。続いて、ユーザ端末１３はそのカテゴリ情報をサーバ１１に送信する（Ｓ１００２）。サーバ１１において、出品者により入力されたオークション終了日が用いられるならば、ステップＳ１００１，Ｓ１００２においてその終了日も取得及び送信される。
【００５５】
サーバ１１では、受信部７２がそのカテゴリ情報を受信して予測時間提供部５４に出力する（Ｓ２００１）。
【００５６】
予測時間提供部５４では、検索部７４ａがそのカテゴリ情報で示されるカテゴリに属する商品のオークションであって、且つ現在入札を受け付けているオークションを検索する（Ｓ２００２）。続いて、抽出部７４が、検索されたオークションから所定数のオークションを選択する（Ｓ２００３）。例えば、抽出部７４は検索されたオークションからランダムに１０個のデータを選択してもよいし、検索した全オークションをすべて選択してもよい。続いて、終了時刻抽出部７４ｂが、選択されたオークションのオークション情報に基づいて、そのオークションの終了時刻を抽出する（Ｓ２００４、特定ステップ）。
【００５７】
続いて、推定部７５が、抽出された終了時間に基づいて、時間毎に、終了するオークションの個数を集計する。そして、推定部７５はその集計結果に基づいて候補時間を特定し、その候補時間に基づいて予測時間を推定する（Ｓ２００５、推定ステップ）。上述したように、この際の推定手法はいくつか考えられる。
【００５８】
続いて、ページ生成部５２が予測時間を含むウェブページを生成する（Ｓ２００６）。ページ生成部５２は、例えば図５に示すような時間軸を用いて予測時間をを示すウェブページを生成してもよいが、ウェブページでの予測時間の表示方法は何ら限定されない。続いて、Ｗｅｂサーバ機能５１の送信部７１がそのウェブページをユーザ端末１３に送信する（Ｓ２００７、提供ステップ）。
【００５９】
ユーザ端末１３は、サーバ１１から送信されてきたウェブページを受信し（Ｓ１００３）、そのウェブページを表示する（Ｓ１００４）。
【００６０】
これにより出品者は、例えば図５のように表示された予測時間を確認して適切な終了時刻を決定することができる。例えば、出品者は他の商品のオークションと終了時刻があまり重ならないような時間（予測時間）内の特定の時刻を終了時刻として決定することができる。
【００６１】
以上説明したように、本実施形態によれば、出品者が出品する商品のカテゴリに属する他の商品のオークションと終了時刻があまり重ならないような時間が予測時間として推定される。この予測時間を出品者に提供することで、出品者はその予測時間を考慮して終了日時を決めることができる。すなわち、オークション終了時刻を決めようとしている出品者にその終了時刻を決めるための有用な情報を提供することができる。
【００６２】
（第２実施形態）
次に、第２実施形態に係る情報提供システムについて説明する。この情報提供システムは、オークションの参加者が該オークションにアクセスした時間を示す行動時間情報に基づいて予測時間が推定される点で第１実施形態と異なる。このために、本実施形態の情報提供システムは、サーバ１１に代えてサーバ１１Ａを備えている。以下では、第１実施形態と同一又は同等の事項については説明を省略する。
【００６３】
サーバ１１Ａの機能構成を図７に示す。サーバ１１Ａは、オークション履歴データベース５７（記憶手段）を更に備え、記録部７３内に行動時間記録部７３ｂ及び評価値記録部７３ｃを更に備える点でサーバ１１と異なる。また、抽出部７４は参加者抽出部７４ｃを更に備えている。これに応じて、いくつかの機能的構成要素の動作も第１実施形態と異なる。
【００６４】
オークション履歴データベース５７は、個々のユーザがオークションにアクセスした時間を示す行動時間情報（行動日時情報）を記憶する。
【００６５】
図８に示すように、行動時間情報は、オークションに参加したユーザを特定するユーザＩＤと、該ユーザの年齢及び性別と、該ユーザの行動履歴（落札履歴、入札履歴、および滞在履歴）と、該ユーザの評価値とを含んでいる。落札履歴は、ユーザにより落札された商品を特定する商品ＩＤと、該商品の名称（商品名）と、落札日時とを示す情報である。入札履歴は、ユーザにより入札された商品のＩＤ及び名称と入札日時とを示す情報である。このような行動履歴は、ユーザがオークションにアクセスしたことを示している。滞在履歴は、ユーザがオークション・サービスにログインした日時と該サービスからログアウトした日時とを示す情報である。評価値は、オークション・サービスにおけるユーザの行動に対する他者の評価を示すユーザ評価情報であり、値が大きいほどそのユーザが取引相手として好ましいことを意味する。なお、評価値の初期値は０である。評価ステージは評価値に対応して設定されるユーザ評価情報であり、評価値を所定の幅毎に段階的に分けて評価を大まかに示すために用いられる。
【００６６】
図８に示すユーザＩＤ「０００１」で示されるユーザの行動時間情報からは、例えば、そのユーザが、それぞれ「Ａ０００１」「Ｃ０２０１」「Ｔ０２１１」の商品ＩＤで示される３種類の商品を落札したことがわかる。また、そのユーザが１月１７日（日）の２１時５５分、２２時３０分、および２２時４０分に、商品ＩＤ「Ａ０００１」で示される商品に対して入札したこともわかる。さらに、そのユーザが、１月１６日（土）の２２時１０分から４０分間オークション・サービスを利用していたこともわかる。図８の例では、ユーザの評価値は１２ポイント（評価ステージに換算すると「Ｄ」）となっている。
【００６７】
行動時間記録部７３ｂは、サービス提供部５３により受け付けられたイベントを参照してユーザの各種履歴を記録する。イベントがオークション・サービスへのログインまたはオークション・サービスからのログアウトを示している場合には、行動時間記録部７３ｂは対応するユーザの行動時間情報の滞在履歴にログイン日時またはログアウト日時を追加する。イベントが商品の落札を示している場合には、行動時間記録部７３ｂは対応するユーザの行動時間情報の落札履歴に、該商品のＩＤ及び名称と落札日時とを追加する。イベントが商品の入札を示している場合には、行動時間記録部７３ｂは対応するユーザの行動時間情報の入札履歴に、該商品のＩＤ及び名称と入札日時とを含むレコードを追加する。
【００６８】
評価値記録部７３ｃはユーザの評価値を更新する。図９に示すように、評価値記録部７３ｃは、サーバ１１によるオークション・サービスを提供している業者により設定された出品者および落札者の評価値を取得する（Ｓ１）。この際には、評価値記録部７３ｃは当該業者の所定のデータベースから評価値を取得すればよい。続いて、評価値記録部７３ｃは、出品者により設定された落札者の評価値を取得する（Ｓ２）。更に、評価値記録部７３ｃは、落札者により設定された出品者の評価値を取得する（Ｓ３）。ステップＳ２，Ｓ３では、評価値記録部７３ｃは、所定のウェブページを介してユーザにより入力された評価値を受け付けたり、当該ユーザにより評価値が記載されている電子メールを受信したりすることで、評価値を取得する。続いて、評価値記録部７３ｃは、取得した出品者または落札者の評価値を、オークション履歴データベース５７内の対応する行動時間情報の評価値に加算することで、その人の評価値を更新する（Ｓ４）。
【００６９】
また、評価値記録部７３ｃは、図１０に示す評価値と評価ステージとの対応表を参照して、更新後の評価値に対応する評価ステージを行動時間情報に登録する。この対応表は、評価値記録部７３ｃの内部に予め保持されている。
【００７０】
参加者抽出部７４ｃは、出品者が商品を出品した時点において、検索部７４ａにより検索されたオークションに参加しているユーザのユーザＩＤ（参加者ＩＤ）を抽出する。参加者抽出部７４ｃは、検索部７４ａにより抽出されたオークション情報に含まれている各種ユーザＩＤを参加者ＩＤとして抽出すればよい。もっとも、参加者抽出部７４ｃにより抽出される参加者ＩＤの種類は限定されない。例えば参加者抽出部７４ｃは入札者のユーザＩＤのみを参加者ＩＤとして抽出してもよいし、入札者のユーザＩＤ、及びオークションをウォッチリストに登録したユーザのユーザＩＤのみを参加者ＩＤとして抽出してもよい。参加者抽出部７４ｃは抽出した参加者ＩＤを推定部７５に出力する。
【００７１】
推定部７５は、出品商品のオークションにおいて多くの入札が見込まれる時間であって、且つ他のオークションと終了時刻があまり重ならないような時間を予測時間として推定し、その予測時間をユーザ端末１３に送信する。
【００７２】
推定部７５は、オークションの終了時刻及びオークション履歴データベース５７内の行動時間情報を参照して予測時間の候補を推定する。この推定手法について図１１を用いて説明する。
【００７３】
図１１における三角マークは、終了日が出品商品のオークション終了日と同じである他のオークションの終了時刻を示している。まず、推定部７５は、図５で示した例と同様に、他のオークションの個数が所定の閾値以上である時間を特定する。続いて、推定部７５は、当該特定された時間以外の時間を候補時間として設定する。図１１の例でその閾値を３とすれば、推定部７５は２０：００〜２１：００（予測時間の候補Ａ参照）及び２３：００〜１：００の時間（予測時間の候補Ｂ参照）を候補時間として設定する。
【００７４】
候補時間から予測時間を決定する手法はいくつか考えられる。まず、推定部７５は、時間毎のオークションの参加者数に基づいて予測時間を推定してもよい。この手法を図１１（ａ）を用いて説明する。なお、図１１（ａ）の例では、説明を簡単にするために参加者を入札者に限定する。図１１（ａ）における×印は、出品商品のカテゴリに属する他の一商品のオークションにおいて入札が行われた時刻を示している。図１１（ａ）に示す例では、２０：００〜２１：００では３人が入札を行っており、２１：００〜２２：００では３人が入札を行っており、２２：００〜２３：００では２人が入札を行っており、２３：００〜０：００では３人が入札を行っており、０：００〜１：００では１人が入札を行っている。推定部７５は行動時間情報の入札履歴を集計することで、図１１に示すような時間毎の参加者数を得る。
【００７５】
続いて、推定部７５はオークションの終了時刻に基づいて推定された候補時間から、取得した時間毎の参加者数に基づいて候補時間を絞り込むことで予測時間を推定する。図１１（ａ）の例では、推定部７５は候補時間の中で参加者が最も多い時間「２０：００〜２１：００」を予測時間とする。この場合には、「参加者が最も多い」という条件が閾値であるといえる。また、推定部７５は、候補時間の中で参加者数が所定の閾値以上である時間を候補時間として設定してもよい。例えば閾値を２とした場合には、推定部７５は２人以上の参加者がいる「２０：００〜２１：００」及び「２３：００〜２４：００」を予測時間とする。所定の閾値は、参加者の絶対数で示してもよいし、所定の時間においてオークションにログインしている全ユーザ数に対する参加者数の割合で示してもよい。
【００７６】
推定部７５は、各ユーザの参加頻度に基づいて予測時間を推定してもよい。この手法を図１１（ｂ）を用いて説明する。なお、この例でも、説明を簡単にするために参加者を入札者に限定する。図１１（ｂ）における×印も、他の一オークションにおいて入札が行われた時刻を示している。図１１（ｂ）の例は、２０：００〜２１：００の間に入札した３ユーザの平均入札頻度が週２回であり、２１：００〜２２：００の間に入札した３ユーザの平均入札頻度が週３回であることを示している。他の時間についても同様に平均入札頻度が示されている。推定部７５は抽出された行動時間情報の入札履歴を集計することで、図１１（ｂ）に示すような時間毎の平均入札頻度を得る。
【００７７】
続いて、推定部７５は取得した時間毎の平均入札頻度に基づいて予測時間を推定する。この場合に、推定部７５は入札者数に平均入札頻度を乗ずる重み付けを行い、その重み付けの結果が最も高い時間を候補時間として設定してもよい。例えば図１１（ｂ）の場合には、推定部７５は重み付けの結果が１×１０＝１０である時間「２４：００〜１：００」を予測時間とする。また、推定部７５は平均入札頻度が一番高い時間を予測時間としてもよい。このように入札頻度を考慮するのは、入札頻度の高いユーザが行動する時間の方が、出品商品のオークションにおいても入札が活発に行われる可能性が高いと推測されるからである。
【００７８】
取得された候補時間が複数存在する場合には、推定部７５は各ユーザの評価値を更に参照して候補時間から予測時間を推定してもよい。例えば、推定部７５は評価値又は評価ステージが所定の閾値以上である参加者（以下では「高評価者」ともいう）の数が最も多い候補時間を予測時間としてもよい。また、推定部７５は所定の時間においてオークションにログインしている全ユーザ数に対する高評価者数の割合が最も高い候補時間を予測時間としてもよい。あるいは、推定部７５は所定の時間における全参加者数に対する高評価者数の割合が最も高い候補時間を最終的な予測時間としてもよい。また、推定部７５は、評価ステージ毎に予め設定された重みを参加者数に乗じた結果が最大の候補時間を予測時間としてもよい。
【００７９】
なお、評価値または評価ステージについての閾値はどのように設定してもよい。例えば評価値の閾値として７０を設定したり、評価ステージの閾値として「Ｂ」を設定したりしてもよい。
【００８０】
推定部７５は、上記のように推定した予測時間を出品者のユーザ端末１３に送信する。
【００８１】
次に、図１２を用いて本実施形態における予測時間推定処理（情報提供方法）を説明する。ステップＳ１１０１，Ｓ１１０２，Ｓ２１０１〜Ｓ２１０３の処理は、第１実施形態におけるステップＳ１００１，Ｓ１００２，Ｓ２００１〜Ｓ２００３の処理と同じである。
【００８２】
続いて、終了時刻抽出部７４ｂが、選択されたオークションのオークション情報に基づいて、そのオークションの終了時刻を抽出する（Ｓ２１０４、特定ステップ）。また、参加者抽出部７４ｃが、そのオークション情報に基づいて、そのオークションにおける参加者のユーザＩＤ（参加者ＩＤ）を抽出する（Ｓ２１０４）。
【００８３】
続いて、推定部７５により予測時間が推定される。具体的には、推定部７５は第１実施形態と同様に候補時間を特定するとともに、抽出された参加者ＩＤに対応する行動時間情報に基づいて時間毎の参加者数を集計する。そして、推定部７５は、各候補時間における参加者数に基づいて予測時間を推定する（Ｓ２１０５、推定ステップ）。上述したように、この際の予測手法はいくつか考えられる。
【００８４】
その後に続くステップＳ２１０６，Ｓ２１０７，Ｓ１１０３，Ｓ１１０４の処理は、第１実施形態におけるステップＳ２００６，Ｓ２００７，Ｓ１００３，Ｓ１００４の処理と同様である。
【００８５】
以上説明したように、本実施形態によれば、一定数以上の参加者が見込まれ、且つ他のオークションと終了時刻があまり重ならないような時間が予測時間として推定される。この予測時間を出品者に提供することで、出品者はその予測時間を考慮して終了日時を決めることができる。すなわち、オークション終了時刻を決めようとしている出品者にその終了時刻を決めるための有用な情報を提供することができる。
【００８６】
（第３実施形態）
次に、第３実施形態に係る情報提供システムについて説明する。この情報提供システムは、行動情報に基づいて予測時間を推定する点は第２実施形態と同じであるが、その具体的な手順は第２実施形態と異なる。具体的には、出品商品と同一カテゴリの商品に関連し且つ現在入札を受け付けているオークションの参加状況ではなく、全オークションの参加状況に基づいて予測時間が推定される。このために本実施形態の情報提供システムは、サーバ１１Ａに代えてサーバ１１Ｂを備えている。以下では、第１，第２実施形態と同一又は同等の事項については説明を省略する。
【００８７】
サーバ１１Ｂの機能構成を図１３に示す。サーバ１１Ｂは、記録部７３内に行動時間集計部７３ｄを更に備え、抽出部７４内に属性特定部７４ｄを更に備える点でサーバ１１Ａと異なる。また、これに応じて、いくつかの機能的構成要素の動作も第１，第２実施形態と異なる。
【００８８】
行動時間集計部７３ｄは、所定の時刻になると起動し、図１４に示す処理を行う。まず、行動時間集計部７３ｄは各ユーザの行動時間情報をオークション履歴データベース５７から読み出し（Ｓ１１）、その行動時間情報を属性別に分類する（Ｓ１２）。分類方法は限定されない。例えば、行動時間集計部７３ｄは年齢層別又は性別に行動時間情報を分類してもよいし、性別且つ年齢層別に行動時間情報を分類してもよい。
【００８９】
続いて、行動時間集計部７３ｄは、属性別に、落札が多く行われた時間を落札時間として抽出する（Ｓ１３）。落札時間の抽出方法はいくつか考えられる。例えば、行動時間集計部７３ｄは、属性別に、落札件数が最も多い時間を落札時間として抽出してもよい。この場合には、「落札件数が最も多い」という条件が閾値となる。また、行動時間集計部７３ｄは、属性別に、落札件数が所定の閾値（例えば１万件）以上である時間を落札時間として抽出してもよい。あるいは、行動時間集計部７３ｄは、属性別に、該属性における全落札件数に対する特定の時間での落札件数の割合が所定の閾値（例えば３０％）以上である該時間を落札時間として抽出してもよい。
【００９０】
続いて、行動時間集計部７３ｄは、属性別に、落札が多く行われた曜日を落札曜日として抽出する（Ｓ１４）。落札曜日の抽出方法もいくつか考えられる。例えば、行動時間集計部７３ｄは、属性別に、落札件数が最も多い曜日を落札曜日として抽出してもよい。また、行動時間集計部７３ｄは、属性別に、落札件数が所定の閾値（例えば３万件）以上である曜日を落札曜日として抽出してもよい。あるいは、行動時間集計部７３ｄは、属性別に、該属性における全落札件数に対する特定の曜日での落札件数の割合が所定の閾値（例えば３０％）以上である該曜日を落札曜日として抽出してもよい。
【００９１】
続いて、行動時間集計部７３ｄは、属性別に、落札時間および落札曜日を行動集計情報としてオークション履歴データベース５７に格納する（Ｓ１５）。なお、行動集計情報の格納場所はこの例に限定されない。
【００９２】
また、行動時間集計部７３ｃは、オークションに出品された商品のカテゴリ別且つ参加者の属性別に行動集計情報を生成し、オークション履歴データベース５７に格納してもよい。この場合、行動時間集計部７３ｃは、オークション履歴データベース５７から抽出した行動時間情報をカテゴリ別且つ参加者の属性別に分類する。続いて、行動時間集計部７３ｃは、カテゴリ別且つ属性別に落札が多く行われた時間を落札時間として抽出する。
【００９３】
行動集計情報の例を図１５，１６に示す。図１５に示す行動集計情報は、年齢層別に集計した場合の行動集計情報である。例えばこの行動集計情報から、１８〜２９歳の年齢層に属するユーザは、２２：００から２４：００までの間に落札する傾向が高く、また、金曜日、土曜日、及び日曜日に落札する傾向も高いことがわかる。一方、図１６に示す行動集計情報は、性別且つ年齢層別に集計した場合の行動集計情報である。なお、年齢層の設定や時間の設定は図１５，１６の例に限定されず、任意に定めてよい。例えば、行動時間集計部７３ｄは年齢層の幅を５（歳）に設定したり、落札件数を１時間毎に集計したりしてもよい。図１６の例のように複数の属性を加味すれば、予測時間をより詳細に推定できる。商品のカテゴリ別且つ参加者の属性別に行動集計情報を生成した場合には、図１５，１６に示すような集計結果は商品のカテゴリ毎に得られる。
【００９４】
図１３に戻って、属性特定部７４ｄは、参加者抽出部７４ｃにより抽出された参加者ＩＤに対応する行動時間情報をオークション履歴データベース５７から抽出し、その行動時間情報に基づいて参加者の属性を特定する。これにより、属性特定部７４ｄは、カテゴリが出品商品と同じである他の商品のオークションに参加したユーザの属性を取得する。なお、ここで特定される属性の種類は、行動時間集計部７３ｄにおいて処理された属性の種類と同じである。当然ながら、属性特定部７４ｄは１種類の属性に対して複数の属性値を取得する場合もある。例えば、属性特定部７４ｄは年齢層に関して「３０〜３９歳」及び「４０〜４９歳」という二つの属性値を取得することもある。属性特定部７４ｄは取得した属性の情報を推定部７５に出力する。
【００９５】
推定部７５は、出品商品のオークションにおいて多くの入札が見込まれる時間であって、他のオークションと終了時刻があまり重ならないような時間を予測時間として推定し、その予測時間をユーザ端末１３に送信する。
【００９６】
推定部７５は、オークション関連データベース５６内のオークション情報、オークション履歴データベース５７内の行動時間情報又は行動集計情報を参照して予測時間の候補を推定する。
【００９７】
まず、推定部７５は第１及び第２実施形態と同様に、オークションの終了時刻に基づいて候補時間を推定する。続いて、推定部７５は候補時間から予測時間を決定する。この決定方法は、以下に示すようにいくつか考えられる。
【００９８】
第１の方法として、推定部７５は行動集計情報のみを用いて候補時間から予測時間を推定してもよい。まず、推定部７５は、属性特定部７４ｄから入力された参加者の属性に対応する行動集計情報をオークション履歴データベース５７から読み出す。続いて、推定部７５はその行動集計情報で示される属性毎の落札時間および落札曜日に基づいて、オークションにおいて多くの入札が行われると予測される時間および曜日を推定する。
【００９９】
例えば、推定部７５が、オークションの終了時刻に基づいて「２０：００〜２４：００」の時間を候補時間として推定したとする。また、図１５に示す行動集計情報を前提とし、属性特定部７４ｄから４個の年齢層「１８〜２９歳」「３０〜３９歳」「４０〜４９歳」「５０〜５９歳」が入力されたとする。この場合には、推定部７５は、年齢層「１８〜２９歳」の落札時間「２２：００〜２４：００」、年齢層「３０〜３９歳」の落札時間「２１：００〜２３：００」、年齢層「４０〜４９歳」の落札時間「２１：００〜２３：００」、及び年齢層「５０〜５９歳」の落札時間「２０：００〜２２：００」を予測時間として推定する（図１７（ａ）参照）。また、推定部７５は入力された属性（例えば年齢層）に対応する落札曜日を予測時間として推定する。落札曜日に関する処理は、上記落札時間に関する処理と同様である。
【０１００】
第２の方法として、推定部７５は、推定された候補時間から行動集計情報及び行動時間情報を用いて予測時間を推定してもよい。上記第１の方法と同様に、推定部７５が、オークションの終了時刻に基づいて「２０：００〜２４：００」の時間を候補時間として推定したとする。この場合、まず、推定部７５は上記第１の方法と同様に属性別の落札時間を取得する。続いて、推定部７５は、属性及び落札時間の組毎に、属性が一致し且つ入札日時が落札時間に対応する行動時間情報をオークション履歴データベース５７から抽出する。続いて、推定部７５は抽出された行動時間情報に基づいて属性別且つ落札時間別の入札者数を求める。
【０１０１】
例えば、図１７（ｂ）に示すように、年齢層「１８〜２９歳」「３０〜３９歳」「４０〜４９歳」「５０〜５９歳」の落札時間に対応する入札者数がそれぞれ４，６，４，２であったとする。この場合、推定部７５は、入札者の合計が最多である「２２：００〜２３：００」を予測時間とする。
【０１０２】
また、推定部７５は入力された属性（例えば年齢層）に対応する落札曜日のうち、入札者の合計が最多の曜日を候補時間として推定する。落札曜日に関する処理は、上記落札時間に関する処理と同様である。
【０１０３】
さらに、推定部７５は、曜日毎且つ時間毎に入札者数を集計し、その数が最多である特定の曜日の特定の時間を予測時間として推定してもよい。
【０１０４】
また、推定部７５は図１７（ｂ）に示す属性毎の予測時間を、該予測時間に対応する入札者数と共に保持してもよい。この場合には、出品者に提供されるウェブページに各予測時間での入札者数も表示される。
【０１０５】
この場合には、図１７（ｃ）に示すように評価ステージ（評価値）毎に人数を表示してもよい。これにより、出品者は高評価者に落札される可能性が高い時間を選ぶことができる。例えば、出品者は図１７（ｃ）の例において、評価ステージ「Ａ」のユーザに落札される可能性が高い２１：００から２２：００までの時間を狙って終了時刻を決めることができる。
【０１０６】
なお、より評価値の高い入札者に落札されることを最優先とするならば、図１７（ｃ）の例において、推定部７５は評価ステージ「Ａ」のユーザのみが示されている２０：００から２１：００までの時間を抽出してもよい。
【０１０７】
次に、図１８を用いて本実施形態における予測時間推定処理（情報提供方法）を説明する。ステップＳ１２０１，Ｓ１２０２，Ｓ２２０１〜Ｓ２２０４の処理は、第２実施形態におけるステップＳ１１０１，Ｓ１１０２，Ｓ２１０１〜Ｓ２１０４の処理と同じである。
【０１０８】
続いて、属性特定部７４ｄが抽出された参加者ＩＤに対応する行動時間情報をオークション履歴データベース５７から抽出し、その行動時間情報に基づいて参加者の属性を特定する（Ｓ２２０５、特定ステップ）。
【０１０９】
続いて、推定部７５が予測時間を推定する。具体的には、推定部７５は第１及び第２実施形態と同様に候補時間を特定するとともに、抽出された参加者の属性に対応する行動集計情報又は行動時間情報をオークション履歴データベース５７から抽出する。そして、推定部７５は、各候補時間に対応する行動集計情報又は行動時間情報に基づいて予測時間を推定する（Ｓ２２０５、推定ステップ）。
【０１１０】
その後に続くステップＳ２２０７，Ｓ２２０８，Ｓ１２０３，Ｓ１２０４の処理は、第２実施形態におけるステップＳ２１０６，Ｓ２１０７，Ｓ１１０３，Ｓ１１０４の処理と同様である。
【０１１１】
以上説明したように、本実施形態によれば、一定数以上の参加者が見込まれ、且つ他のオークションと終了時刻があまり重ならないような時間が予測時間として推定される。この予測時間を出品者に提供することで、出品者はその予測時間を考慮して終了日時を決めることができる。すなわち、オークション終了時刻を決めようとしている出品者にその終了時刻を決めるための有用な情報を提供することができる。
【０１１２】
なお、本実施形態では図１９に示すような行動集計情報を用いてもよい。すなわち、行動時間集計部７３ｄは、落札時間及び落札曜日だけでなく、入札件数が最も多い時間（入札時間）やユーザの滞在数が最も多い時間（滞在時間）も性別及び年齢層別に算出し、これらの情報を含む行動集計情報を生成してもよい。図１９では男性についての行動集計情報のみを示しているが、女性についての行動集計情報も同様に生成される。商品のカテゴリ別且つ参加者の属性別に行動集計情報を生成した場合には、図１９に示すような集計結果も商品のカテゴリ毎に得られる。
【０１１３】
この場合には、推定部７５は行動集計情報に基づいて属性別の落札時間、落札曜日、入札時間、および滞在時間を抽出する。続いて、推定部７５は抽出したこれらの情報と、参加者ＩＤを用いて抽出した各参加者の属性とに基づいて、候補時間から予測時間を推定する。
【０１１４】
（第４実施形態）
次に、第４実施形態に係る情報提供システムについて説明する。この情報提供システムは、出品者により指定された商品の出品期間に基づいて予測時間の処理方法を選択する点で、第２及び第３実施形態に係る情報提供システムと異なる。このために、本実施形態の情報提供システムは、サーバ１１Ａ，１１Ｂに代えてサーバ１１Ｃを備えている。以下では、第２及び第３実施形態と同一又は同等の事項については説明を省略する。
【０１１５】
サーバ１１Ｃの機能構成を図２０に示す。サーバ１１Ｃは、抽出部７４内に手法決定部７４ｅを更に備える点でサーバ１１Ｂと異なる。
【０１１６】
手法決定部７４ｅは、出品者のユーザ端末１３から送信されてきた出品期間を取得し、該出品期間に基づいて予測時間の推定方法を決定する。手法決定部７４ｅは、出品期間が所定期間（例えば一週間）よりも短い場合には、第２実施形態と同様の手法で予測時間を推定すると決定し、出品期間が所定期間以上である場合には、第３実施形態と同様の手法で予測時間を推定すると決定する。この決定に基づいて、抽出部７４及び推定部７５は、第２実施形態又は第３実施形態の手法のいずれかを用いて予測時間を推定する。
【０１１７】
図２１を用いて本実施形態における予測時間推定処理（情報提供方法）を説明する。まず、ユーザ端末１３が、出品者により入力された出品商品のカテゴリ及び出品期間を取得する（Ｓ１３０１）。出品期間は、オークションへの出品を受け付けるウェブページにおいて出品者が終了日時を入力することで取得される。続いて、ユーザ端末１３は取得したカテゴリ情報及び出品期間をサーバ１１Ｃに送信する（Ｓ１３０２）。
【０１１８】
サーバ１１ＣではＷｅｂサーバ機能５１の受信部７２がそのカテゴリ情報および出品期間を受信する（Ｓ２３０１）。これに続くステップＳ２３０２〜Ｓ２３０４の処理は第２実施形態におけるステップＳ２１０２〜Ｓ２１０４の処理と同様である。
【０１１９】
続いて、手法決定部７４ｅが、出品期間が所定期間以上であるか否かを判断する（Ｓ２３０５、推定ステップ）。出品期間が所定期間より短い場合には（Ｓ２３０５；ＮＯ）、第２実施形態におけるステップＳ２１０５の処理と同様に、オークションの終了時刻及び時間毎の参加者数に基づいて予測時間が推定される（Ｓ２３０６、推定ステップ）。一方、出品期間が所定期間以上である場合には（Ｓ２３０５；ＹＥＳ）、第３実施形態におけるＳ２２０５，Ｓ２２０６の手続きと同様に、抽出された参加者ＩＤから参加者の属性が特定され（Ｓ２３０７、推定ステップ）、オークションの終了時刻及びその属性に基づいて予測時間が推定される（Ｓ２３０８、推定ステップ）。これに続くステップＳ２３０９，Ｓ２３１０，Ｓ１３０３，Ｓ１３０４の処理は第２実施形態におけるステップＳ２１０６，Ｓ２１０７，Ｓ１１０３，Ｓ１１０４の処理と同様である。
【０１２０】
以上説明したように、本実施形態によれば、商品の出品期間が所定期間よりも短い場合には、時間毎の参加者数が考慮され、一定数以上の参加者が見込まれる時間が予測時間として推定される。一方、出品期間が所定期間以上である場合には、行動時間情報より参加者の属性が特定され、該属性に基づいて一定数以上の参加者が見込まれ、且つ他のオークションと終了時刻があまり重ならないような時間が予測時間として推定される。すなわち、オークション終了時刻を決めようとしている出品者にその終了時刻を決めるための有用な情報を提供することができる。
【０１２１】
出品期間が短い場合には、特定された参加者自身がオークションに参加する傾向にある。一方、出品期間が長い場合には、特定された参加者と同じ属性を有するユーザの全体的な参加傾向が特定のオークションにおける参加傾向についても当てはまることが多い。したがって、出品期間の長さに応じて予測時間の推定方法を上記のように変えることは有効である。
【０１２２】
（第５実施形態）
次に、第５実施形態に係る情報提供システムについて説明する。この情報提供システムは、行動時間情報から算出されるオークションに対する所定時間毎のアクセス数と該所定時間に終了するオークション数との比に基づいて予測時間を推測する点で、第２実施形態に係る情報提供システムと異なる。このために、本実施形態の情報提供システムは、サーバ１１Ａに代えてサーバ１１Ｄを備えている。以下では、第２実施形態と同一又は同等の事項については説明を省略する。
【０１２３】
サーバ１１Ｄの機能構成を図２２に示す。サーバ１１Ｄは、抽出部７４に代えてアクセス数算出部７６及びオークション検出部７７を備える点でサーバ１１Aと異なる。また、これに応じて、いくつかの機能的構成要素の動作も第２実施形態と異なる。
【０１２４】
アクセス数算出部７６（アクセス数算出手段）は、出品商品のカテゴリに属する複数の他のオークションに対する所定の時間毎のアクセス数を算出する。アクセス数算出部７６は、出品者のユーザ端末１３から送信された、出品商品のカテゴリを示すカテゴリ情報を取得する。続いて、アクセス数算出部７５は、そのカテゴリ情報で示されるカテゴリに属する複数の他のオークションに対応するオークション情報をオークション関連データベース５６から抽出する。続いて、アクセス数算出部７５は、オークション履歴データベース５７内に記憶されている行動時間情報を参照して、抽出したオークションの参加者のアクセス数を所定の時間毎に集計する。アクセス数算出部７６は、集計した所定の時間毎のアクセス数を推定部７５に出力する。
【０１２５】
図２３を参照して、アクセス数算出部７６によるアクセス数の算出の例を説明する。図２３（ａ）における×印は、出品商品のカテゴリに属する他のオークションに対してアクセスが行われた時刻を示している。ここで、図２３（ａ）におけるひとつの×印は他のオークションに対して１００回のアクセスがあったことを示している。図２３（ａ）に示す例では、２０：００〜２１：００では３００回のアクセスが行われたことを示しており、２１：００〜２２：００では４００回のアクセスが行われたことを示している。他の時間についても同様に考える。
【０１２６】
アクセス数算出部７６は、行動時間情報より抽出した行動履歴を集計することで、例えば、図２３（ｂ）に示すように１時間毎の他のオークションに対するアクセス数を算出する。
【０１２７】
オークション検出部７７（オークション検出手段）は、出品商品のカテゴリに属し、且つ現在開催されている他のオークションの終了日時を抽出し、所定の時間毎に、終了するオークションの数を算出する。オークション検出部７７は、出品者のユーザ端末１３から送信されたカテゴリ情報で示されるカテゴリに属し、且つ現在入札を受け付けている他のオークション（開催中の他のオークション）に対応するオークション情報をオークション関連データベース５６から抽出する。オークション検出部７７は、抽出したオークション情報の終了日時を参照し、所定の時間毎に、終了するオークション数を集計する。オークション検出部７７は、集計した時間毎の終了オークション数を推定部７５に出力する。
【０１２８】
図２４を参照して、オークション検出部７７による終了オークション数の算出の例を説明する。図２４（ａ）における三角マークは、出品商品のカテゴリに属し、且つ現在入札を受け付けているオークションの終了日時を示している。図２４（ａ）に示す例では、２０：００〜２１：００では１つのオークションで終了時刻が設定されており、２１：００〜２２：００では２つのオークションで終了時刻が設定されている。他の時間についても同様に考える。
【０１２９】
オークション検出部７７は、抽出されたオークション情報を集計することで、例えば、図２４（ｂ）に示すように１時間毎に終了オークション数を算出する。
【０１３０】
推定部７５（オークション開催期間特定手段）は、出品商品のカテゴリに属する他のオークションに対するアクセス数が多い時間であって、且つ出品商品のカテゴリに属する開催中の他のオークションと終了日時があまり重ならないような時間を予測時間（オークション開催期間）として推定する。推定部７５はその予測時間をユーザ端末１３に出力する。
【０１３１】
具体的には、推定部７５は、アクセス数算出部７６により算出されたオークションへのアクセス数に対する、オークション検出部７７により検出された終了オークション数の比を所定時間毎に算出する。そして推定部７５は、その比が最小となる時間を予測時間として決定する。すなわち、推定部７５は、アクセス数に対して終了オークション数が少ない時間を予測時間として推定する。そして、推定部７５は決定した予測時間をページ生成部５２に出力する。
【０１３２】
図２３（ｂ），２４（ｂ）に示すように時間毎のアクセス数及び終了オークション数が得られた場合には、アクセス数に対する終了オークション数の比は、２０：００〜２１：００では１／３００となり、２１：００〜２２：００では１／２００となり、２２：００〜２３：００では１／１００となり、２３：００〜２４：００では１／２００となり、２４：００〜１：００では１／５０となる。従って、推定部７５は、オークションへのアクセス数に対する該時間に終了するオークション数の比が最小である時間「２０：００〜２１：００」を候補時間として推定する。
【０１３３】
推定部７５は、オークションへのアクセス数に対する終了オークション数の比が所定の閾値以下である時間を候補時間として設定してもよい。図２３（ｂ），２４（ｂ）の例において、例えば閾値を１／２００とした場合には、推定部７５は、「２０：００〜２１：００」、「２１：００〜２２：００」及び「２３：００〜２４：００」を候補時間として推定する。
【０１３４】
推定部７５は、１以上の候補時間をそのまま１以上の予測時間としてページ生成部５２に出力してもよい。あるいは、推定部７５は現時点から候補時間までの時間を予測時間として設定してもよい。候補時間が複数存在する場合には、推定部７５は以下のような方法で候補時間を並べ替えた上でページ生成部５２に出力してもよい。例えば、推定部７５は、オークションへのアクセス数に対する終了オークション数の比が小さい順に候補時間を並べ替えてもよい。このような処理により、アクセス数に対して終了オークション数が少ない予測時間ほど優先的に出品者に提示される。
【０１３５】
候補時間が複数存在する場合には、推定部７５は過去の他のオークションの参加者の評価値を更に参照して候補時間から予測時間を推定してもよい。例えば、推定部７５は評価値又は評価ステージが所定の閾値以上である参加者（高評価者）の数が最も多い候補時間を予測時間としてもよい。あるいは、推定部７５は全参加者数に対する高評価者数の割合が最も高い候補時間を最終的な予測時間としてもよい。
【０１３６】
推定部７５は、上記のように推定した予測時間を出品者のユーザ端末１３に送信する。
【０１３７】
次に、図２５を用いて本実施形態における予測時間推定処理（情報提供方法）を説明する。ステップＳ１４０１，Ｓ１４０２，Ｓ２４０１，Ｓ２４０２の処理は、第１実施形態におけるステップＳ１００１，Ｓ１００２，Ｓ２００１，Ｓ２００２の処理と同じである。
【０１３８】
続いて、アクセス数算出部７５が、検索されたオークションに対応する行動時間情報に基づいて、出品商品のカテゴリに属する他の商品の過去のオークションに対する所定時間毎のアクセス数を算出する（Ｓ２４０３、アクセス数算出ステップ）。
【０１３９】
次に、オークション検出部７７は、出品商品のカテゴリに属する複数の他のオークションに対応するオークション情報に基づいて当該他のオークションの終了日時を抽出する（Ｓ２４０４、オークション検出ステップ）。そして、オークション検出部７７は、所定時間毎に終了オークション数を検出する（Ｓ２４０５、オークション検出ステップ）。
【０１４０】
続いて、推定部７５により予測時間が推定される。具体的には、推定部７５は、アクセス数算出部７６により算出された他のオークションへのアクセス数に対する、オークション検出部７７により検出された終了オークション数の比が小さい時間を予測時間として推定する。すなわち、推定部７５はアクセス数に対して、終了オークション数が少ない時間を予測時間として推定する（Ｓ２４０６、オークション開催期間特定ステップ）。
【０１４１】
その後に続くステップＳ２４０７，Ｓ２４０８，Ｓ１４０３，Ｓ１４０４の処理は、第１実施形態におけるステップＳ２００６，Ｓ２００７，Ｓ１００３，Ｓ１００４の処理と同様である。
【０１４２】
以上説明したように、本実施形態によれば、過去の他のオークションに対するアクセス数と開催中の他のオークションの終了数との比に基づいて予測時間が推定される。これにより、出品商品のオークションに対して多くのアクセスが見込まれ、且つ他のオークションと終了時刻があまり重ならないような時間がオークション開催期間として推定される。このオークション開催期間を出品者に提供することで、出品者はその予測時間を考慮して終了日時を決めることができる。すなわち、オークション開催期間を決めようとしている出品者にその終了時刻を決めるための有用な情報を提供することができる。
【０１４３】
以上、本発明をその実施形態に基づいて詳細に説明した。しかし、本発明は上記実施形態に限定されるものではない。本発明は、その要旨を逸脱しない範囲で様々な変形が可能である。
【０１４４】
上記各実施形態では、抽出部７４が、出品商品のカテゴリに属する他の商品が出品されているオークションを抽出したが、出品商品と同じ商品のオークションのみを抽出してもよい。
【０１４５】
上記各実施形態ではサーバ１１，１１Ａ，１１Ｂ，１１Ｃ，１１Ｄが各種データベース５５，５６，５７を備えていたが、これらのデータベース５５，５６，５７はサーバの外部に設けられていてもよい。この場合には、サーバが所定の通信ネットワークを介してそれらのデータベース５５，５６，５７にアクセスすればよい。同様に、Ｗｅｂサーバ機能５１、ページ生成部５２、及びサービス提供部５３をサーバ１１，１１Ａ，１１Ｂ，１１Ｃ，１１Ｄ以外の別のサーバに配置してもよい。
【０１４６】
上記第２〜第５実施形態では行動時間情報に３種類の行動履歴（入札履歴、落札履歴、滞在履歴）が含まれていたが、これらのうちの１種類又は２種類の履歴のみが行動時間情報に含まれていてもよい。また、行動時間情報に含める行動履歴は上記のものに限定されず、任意に決めてよい。
【０１４７】
上記第２〜第５実施形態では行動時間情報に評価値が含まれていたが、このようなユーザ評価情報は省略可能である。これに関連し、予測時間を推定する際に評価値を用いなくてもよい。また、推定部７５は評価値または評価ステージのどちらか一方のみを用いて予測時間を推定してもよい。
【０１４８】
上記第２〜第４実施形態では、参加者の属性に基づいて候補時間を抽出し、その候補時間に基づいて予測時間を推定したが、商品のカテゴリ別且つ参加者の属性別に行動集計情報を生成した場合には、出品商品のカテゴリに対応する行動集計情報で示される属性に基づいて候補時間を抽出し、その候補時間に基づいて予測時間を推定してもよい。
【符号の説明】
【０１４９】
１１，１１Ａ，１１Ｂ，１１Ｃ，１１Ｄ…サーバ（情報提供装置）、１２…インターネット、１３…ユーザ端末、５１…Ｗｅｂサーバ機能、５２…ページ生成部、５３…サービス提供部、５４…予測時間提供部、５５…ユーザデータベース、５６…オークション関連データベース（記憶手段）、５７…オークション履歴データベース（記憶手段）、７１…送信部、７２…受信部、７３…記録部、７３ａ…オークション情報記録部、７３ｂ…行動時間記録部、７３ｃ…評価値記録部、７３ｄ…行動時間集計部、７４…抽出部、７４ａ…検索部、７４ｂ…終了時刻抽出部、７４ｃ…参加者抽出部、７４ｄ…属性特定部、７４ｅ…手法決定部、７５…推定部（オークション開催期間特定手段）、７６…アクセス数算出部（アクセス数算出手段）、７７…オークション検出部（オークション検出手段）。
【図１】
2012131993.tif 000003
【図２】
2012131993.tif 000004
【図３】
2012131993.tif 000005
【図４】
2012131993.tif 000006
【図５】
2012131993.tif 000007
【図６】
2012131993.tif 000008
【図７】
2012131993.tif 000009
【図８】
2012131993.tif 000010
【図９】
2012131993.tif 000011
【図１０】
2012131993.tif 000012
【図１１】
2012131993.tif 000013
【図１２】
2012131993.tif 000014
【図１３】
2012131993.tif 000015
【図１４】
2012131993.tif 000016
【図１５】
2012131993.tif 000017
【図１６】
2012131993.tif 000018
【図１７】
2012131993.tif 000019
【図１８】
2012131993.tif 000020
【図１９】
2012131993.tif 000021
【図２０】
2012131993.tif 000022
【図２１】
2012131993.tif 000023
【図２２】
2012131993.tif 000024
【図２３】
2012131993.tif 000025
【図２４】
2012131993.tif 000026
【図２５】
2012131993.tif 000027
【手続補正書】
【提出日】平成25年8月30日(2013.8.30)
【手続補正１】
【補正対象書類名】特許請求の範囲
【補正対象項目名】全文
【補正方法】変更
【補正の内容】
【特許請求の範囲】
【請求項１】
出品者がオークションに出品しようとする商品のカテゴリに属する他の商品のオークションに参加者がアクセスした日時を示す行動日時情報を記憶する記憶手段を参照し、前記他の商品の過去のオークションに対応する前記行動日時情報に基づいて該過去のオークションに対する所定の時間帯毎の参加者数を求め、
前記所定の時間帯毎の参加者数と、前記行動日時情報から集計される前記参加者の前記所定の時間帯毎の前記過去のオークションに対する参加頻度とに基づき前記出品者のオークション開催期間を特定するオークション開催期間特定手段と、
前記出品者の端末に、前記オークション開催期間特定手段により特定された前記オークション開催期間を提供する提供手段と
を備える情報提供装置。
【請求項２】
前記オークション開催期間特定手段は、前記行動日時情報から前記参加者の前記過去のオークションに対する平均参加頻度を集計し、該平均参加頻度を前記参加者数に乗じた値が最も大きな時間帯を前記オークション開催期間として特定する、
請求項１に記載の情報提供装置。
【請求項３】
前記行動日時情報が、参加者の評価を示すユーザ評価情報を更に含み、
前記提供手段が、前記オークション開催期間が複数存在する場合に、前記過去のオークションにアクセスした前記参加者のユーザ評価情報を参照し、該参加者の評価に基づいて該複数のオークション開催期間に優先順位を付与する、
請求項１又は２に記載の情報提供装置。
【請求項４】
情報提供装置により実行される情報提供方法であって、
出品者がオークションに出品しようとする商品のカテゴリに属する他の商品のオークションに参加者がアクセスした日時を示す行動日時情報を記憶する記憶手段を参照し、前記他の商品の過去のオークションに対応する前記行動日時情報に基づいて該過去のオークションに対する所定の時間帯毎の参加者を求め、
前記所定の時間帯毎の参加者数と、前記行動日時情報から集計される前記参加者の前記所定の時間帯毎の前記過去のオークションに対する参加頻度とに基づき前記出品者のオークション開催期間を特定するオークション開催期間特定ステップと、
前記出品者の端末に、前記オークション開催期間特定ステップにおいて特定された前記オークション開催期間を提供する提供ステップと
を含む情報提供方法。
【請求項５】
コンピュータを、
出品者がオークションに出品しようとする商品のカテゴリに属する他の商品のオークションに参加者がアクセスした日時を示す行動日時情報を記憶する記憶手段を参照し、前記他の商品の過去のオークションに対応する前記行動日時情報に基づいて該過去のオークションに対する所定の時間帯毎の参加者を求め、
前記所定の時間帯毎の参加者数と、前記行動日時情報から集計される前記参加者の前記所定の時間帯毎の前記過去のオークションに対する参加頻度とに基づき前記出品者のオークション開催期間を特定するオークション開催期間特定手段と、
前記出品者の端末に、前記オークション開催期間特定手段により特定された前記オークション開催期間を提供する提供手段と
して機能させる情報提供プログラム。
【請求項６】
コンピュータを、
出品者がオークションに出品しようとする商品のカテゴリに属する他の商品のオークションに参加者がアクセスした日時を示す行動日時情報を記憶する記憶手段を参照し、前記他の商品の過去のオークションに対応する前記行動日時情報に基づいて該過去のオークションに対する所定の時間帯毎の参加者数を求め、
前記所定の時間帯毎の参加者数と、前記行動日時情報から集計される前記参加者の前記所定の時間帯毎の前記過去のオークションに対する参加頻度とに基づき前記出品者のオークション開催期間を特定するオークション開催期間特定手段と、
前記出品者の端末に、前記オークション開催期間特定手段により特定された前記オークション開催期間を提供する提供手段と
して機能させる情報提供プログラムを記録したコンピュータ読取可能な記録媒体。
【手続補正２】
【補正対象書類名】明細書
【補正対象項目名】０００８
【補正方法】変更
【補正の内容】
【０００８】
本発明に係る情報提供装置は、出品者がオークションに出品しようとする商品のカテゴリに属する他の商品のオークションに参加者がアクセスした日時を示す行動日時情報を記憶する記憶手段を参照し、他の商品の過去のオークションに対応する行動日時情報に基づいて該過去のオークションに対する所定の時間帯毎の参加者数を求め、所定の時間帯毎の参加者数と、行動日時情報から集計される参加者の所定の時間帯毎の過去のオークションに対する参加頻度とに基づき出品者のオークション開催期間を特定するオークション開催期間特定手段と、出品者の端末に、オークション開催期間特定手段により特定されたオークション開催期間を提供する提供手段とを備える。
【手続補正３】
【補正対象書類名】明細書
【補正対象項目名】０００９
【補正方法】変更
【補正の内容】
【０００９】
本発明に係る情報提供方法は、情報提供装置により実行される情報提供方法であって、出品者がオークションに出品しようとする商品のカテゴリに属する他の商品のオークションに参加者がアクセスした日時を示す行動日時情報を記憶する記憶手段を参照し、他の商品の過去のオークションに対応する行動日時情報に基づいて該過去のオークションに対する所定の時間帯毎の参加者を求め、所定の時間帯毎の参加者数と、行動日時情報から集計される参加者の所定の時間帯毎の過去のオークションに対する参加頻度とに基づき出品者のオークション開催期間を特定するオークション開催期間特定ステップと、出品者の端末に、オークション開催期間特定ステップにおいて特定されたオークション開催期間を提供する提供ステップとを含む。
【手続補正４】
【補正対象書類名】明細書
【補正対象項目名】００１０
【補正方法】変更
【補正の内容】
【００１０】
本発明に係る情報提供プログラムは、コンピュータを、出品者がオークションに出品しようとする商品のカテゴリに属する他の商品のオークションに参加者がアクセスした日時を示す行動日時情報を記憶する記憶手段を参照し、他の商品の過去のオークションに対応する行動日時情報に基づいて該過去のオークションに対する所定の時間帯毎の参加者を求め、所定の時間帯毎の参加者数と、行動日時情報から集計される参加者の所定の時間帯毎の過去のオークションに対する参加頻度とに基づき出品者のオークション開催期間を特定するオークション開催期間特定手段と、出品者の端末に、オークション開催期間特定手段により特定されたオークション開催期間を提供する提供手段として機能させる。
【手続補正５】
【補正対象書類名】明細書
【補正対象項目名】００１１
【補正方法】変更
【補正の内容】
【００１１】
本発明に係るコンピュータ読取可能な記録媒体は、コンピュータを、出品者がオークションに出品しようとする商品のカテゴリに属する他の商品のオークションに参加者がアクセスした日時を示す行動日時情報を記憶する記憶手段を参照し、他の商品の過去のオークションに対応する行動日時情報に基づいて該過去のオークションに対する所定の時間帯毎の参加者数を求め、所定の時間帯毎の参加者数と、行動日時情報から集計される参加者の所定の時間帯毎の過去のオークションに対する参加頻度とに基づき出品者のオークション開催期間を特定するオークション開催期間特定手段と、出品者の端末に、オークション開催期間特定手段により特定されたオークション開催期間を提供する提供手段として機能させる情報提供プログラムを記録する。
【手続補正６】
【補正対象書類名】明細書
【補正対象項目名】００１３
【補正方法】変更
【補正の内容】
【００１３】
本発明に係る情報提供装置では、オークション開催期間特定手段は、行動日時情報から参加者の過去のオークションに対する平均参加頻度を集計し、該平均参加頻度を参加者数に乗じた値が最も大きな時間帯をオークション開催期間として特定してもよい。
【手続補正７】
【補正対象書類名】明細書
【補正対象項目名】００１４
【補正方法】削除
【補正の内容】
【手続補正８】
【補正対象書類名】明細書
【補正対象項目名】００１５
【補正方法】削除
【補正の内容】
【手続補正９】
【補正対象書類名】明細書
【補正対象項目名】００１６
【補正方法】削除
【補正の内容】
【国際調査報告】
2012131993.tif 000028
2012131993.tif 000029
2012131993.tif 000030
2012131993.tif 000031